(57)【特許請求の範囲】
【請求項１】
長さ方向の中間部に外方に張り出すつば部を備えたつば付き短管のつば部を挟む一方の側が、屋外と屋内とを仕切る壁体に明けられた貫通孔に、そのつば部を壁体の屋内側の面に当接させて、先端部を屋外に突出させるように、屋内側から、貫通状態に嵌め込まれ、
該つば付き短管のつば部を挟むもう一方の側に接続管が外嵌め状態に差し込み接続されており、該接続管に対して、浴室からの換気ダクトのダクト先端管部が、内嵌め状態に差し込み接続されて、換気ダクトとつば付き短管とが連通状態に接続されており、
前記接続管は、その長さ寸法が、つば付き短管のつば部を挟む前記もう一方の側の管部の長さ寸法よりも大きく設定されていて、換気ダクトの先端管部は、接続管をつば付き短管の該もう一方の側の管部に端部がつば部に当接するところまで嵌め込んだ際の残部長さ部分を利用して接続管に差し込み接続することができるようになされていることを特徴とする浴室換気ダクトの接続構造。
【発明の詳細な説明】
【０００１】
【発明の属する技術分野】
本発明は、浴室換気ダクトの接続構造に関する。
【０００２】
【従来の技術及び課題】
冬期には、入浴時や入浴後の浴室の換気によって換気ダクトの中で多くの結露水が発生し、この結露水が屋外と屋内とを仕切る壁体内に入って壁体に凍害を生じさせたり、屋内に結露水の漏れを生じさせることがある。
【０００３】
本発明は、そのような問題点に鑑み、浴室換気によって生じる壁体の凍害や屋内への結露水漏れを確実に防止することができ、しかも、その施工も容易に行うことができる浴室換気ダクトの接続構造を提供することを課題とする。
【０００４】
【課題を解決するための手段】
上記の課題は、長さ方向の中間部に外方に張り出すつば部を備えたつば付き短管のつば部を挟む一方の側が、屋外と屋内とを仕切る壁体に明けられた貫通孔に、そのつば部を屋内側の存在させ、かつ、先端部を屋外に突出させるように貫通状態に嵌め込まれ、つば付き短管のつば部を挟むもう一方の側に浴室からの換気ダクトが接続されていることを特徴とする浴室換気ダクトの接続構造によって解決される。
【０００５】
この構造では、つば付き短管のつば部を挟む一方の側がその先端部を屋外に突出させるようにして壁体の孔に嵌め込まれているから、この先端部を通じて出いていく結露水が屋外側から壁体内に入り込んでしまうのを防ぐことができる。しかも、短管のつば部が屋内側の存在しているから、短管の屋内側の端部から仮に結露水の漏れを生じるようなことがあっても、そのような結露水が壁体内に入り込んでしまうのをこのつば部が阻止し、結露水が屋内側から壁体内に入り込んでしまうのも防ぐことができる。こうして、壁体内への結露水の侵入を防止して壁体の凍害の発生を防ぐことができる。
【０００６】
この場合に、上記のつば付き短管が、そのつば部を壁体の屋内側の面に当接させ又は近接させるようにして貫通孔に嵌め込まれている場合は、つば部を壁体に屋内側の壁面に当接させるようにするだけで、つば部を挟む先端側を確実に屋外側に突出させることができ、施工を確実かつ能率良く行っていくことができる。また、結露水や湿気がつば部と壁体との間を通じて壁体内に入り込もうとするのも抑制できあるいは防ぐことができる。
【０００７】
もちろん、上記のつば付き短管は、そのつば部が壁体の屋内側の面から離れていてもよく、そのような離れたつば部であっても、短管の屋内側の端部から漏れるような結露水が屋内側から壁体内に入り込んでしまうのを有効的に防ぐことができる。
【０００８】
上記の接続構造において、つば付き短管のつば部を挟んで屋内に突出する側に接続管が外嵌め状態に接続され、浴室からの換気ダクトはフレキシブルダクトからなっていてその先端部に備えられたダクト先端管部が、つば付き短管の端面に当接するように前記接続管に内嵌め状態に接続されて、換気ダクトとつば付き短管とが連通状態に接続されているのもよい。
【０００９】
この場合は、つば付き短管とダクト先端管部との当接、及び、接続管がこれら管に外嵌め状態に接続されていることにより、つば付き短管とダクト先端管部との接続部における結露水の漏れをしっかりと防ぐことができ、屋内側への結露水の漏れを防ぐことができる。しかも、接続管は短管のつば部に当接するまで差込み、ダクト先端管部もつば付き短管の端部に当接するまで差し込めば適正な接続状態を得ることができ、施工を容易に行うことができる。加えて、つば付き短管も、接続管も、ダクト先端管部も屋内から施工することができ、施工を容易に行うことができる。
【００１０】
【発明の実施の形態】
次に、本発明の実施形態を図面に基づいて説明する。
【００１１】
図１及び図２に示す実施形態において、１はユニットバスなどからなる浴室であり、この浴室１に隣り合って、屋外側２と屋内側３とを仕切る壁体４が存在し、この壁体４において、浴室１の天井高さ位置よりも高い位置に、屋内側３と屋外側２とを連通する貫通した孔５が設けられている。
【００１２】
また、浴室１の天井面６には換気用の吸込口７が設けられ、天井裏には吸込口７の真上に位置して換気用の排気ファン８が備えられ、この排気ファン８から暖気ダクト９が延ばされている。換気ダクト９はフレキシブルタクトからなっていて、その先端部には接続用の管部９ａが備えられている。
【００１３】
そして、１０がつば付き短管であり、１１が接続管である。つば付き短管１０は、長さ方向中間部に外方に突出する円板環状のつば部１０ａを備えている。
【００１４】
このつば部１０ａを挟む一方の側の管部１０ｂは、壁体４に明けられた貫通孔５にしっくりと嵌め込むことができるような外周サイズに形成されていると共に、その長さ寸法は壁体４の厚さ寸法よりも大きく形成されており、この管部１０ｂを、屋内側３から壁体４の貫通孔５に嵌め込むことによって、その先端部が壁体４の屋外側２の面よりも外方に突出するようになされている。
【００１５】
接続管１１は、このつば付き短管１０と換気ダクト９の先端管部９ａとに外嵌め状態に嵌合されて両管１０，９ａを接続するものであり、その長さ寸法は、つば付き短管１０のつば部１０ａを挟むもう一方の側の管部１０ｃよりも長くつくられており、この接続管１１を、つば付き短管１０の管部１０ｃに、端面がつば部１０ａに当接するまで嵌め込んだ際の残部長さ部分を利用して換気ダクト９の先端管部９ａを差込み接続できるようになされている。
【００１６】
壁体４へのつば付き短管１０の取付けは、屋内側３から、つば付き短管１０の一方の管部１０ｂを、壁体４に明けられている貫通孔５に、つば部１０ａが壁体４の屋内側の面に当接するところまで嵌め込む。これにより、つば付き短管１０のこの管部１０ｂの先端部は、確実に、壁体４の屋外側の面よりも外方に突出した状態に施工される。つば部１０ａが壁体４の屋外側の面に当接するところまで差し込めばよいので施工も容易に行える。
【００１７】
なお、壁体４に対するつば付き短管１０の施工は、浴室ユニット１を設置する前の段階で行うようにしてもよいし、浴室ユニット１を設置した後に、天井６に備えられている点検口１２を通じて行うようにしてもよい。
【００１８】
次いで、図１に示すように、つば付き短管１０のつば部１０ａを挟むもう一方の管部１０ｃに外嵌め状態に接続されている接続管１１に対し、バスユニット１の設置後、浴室１内の天井６に備えられている点検口１２を通じて、換気ダクト９の先端管部９ａを、その先端面がつば付き短管１０の管部１０ｃの端面に当接するところまで差し込み、つば付き短管１０と換気ダクト９とを接続する。接続管１１の一端は、つば付き短管１０のつば部１０ａに当接して位置決めされ、そのため、換気ダクト９の先端管部９ａは、これをつば付き短管１０の管部１０ｃの端面に当接するところまで差し込めば、自動的に適正な接続状態を得ることができる。なお、換気ダクト９の先端管部９ａに接続管１１を接続しておき、この接続管１１をつば付き短管１０の管部１０ｃに接続するようにしてもよい。以上のようにして、換気ダクト９が屋外と連通状態に接続される。１３は換気カバーである。
【００１９】
上記の接続構造では、つば付き短管１０のつば部１０ａを挟む一方の管部１０ｂがその先端部を屋外側２に突出させるようにして壁体４の貫通孔５に嵌め込まれているから、この先端部を通じて出いていく結露水が屋外側から壁体４内に入り込んでしまうのが防がれる。しかも、つば付き短管１０のつば部１０ａは屋内側３の存在しているから、つば付き短管１０の屋内側の端部から仮に結露水の漏れを生じるようなことがあっても、そのような結露水が壁体４内に入り込んでしまうのをこのつば部１０ａが阻止し、結露水が屋内側３から壁体４内に入り込んでしまうのも防ぐことができる。しかも、つば部１０ａは壁体４の屋内側の面に当接あるいは近接した状態に設置されているから、結露水や湿気がつば部１０ａと壁体４との間を通じて壁体４内に入り込もうとするのも抑制されあるいは防がれる。こうして、壁体４内への結露水の侵入を防止して壁体の凍害の発生を防ぐことができる。なお、壁体４において、４ａは通気層、４ｂは断熱材である。
【００２０】
更に、つば付き短管１０と換気用ダクト９の接続は、接続管１１をつば付き短管１０の管部１０ｃと換気用ダクトの先端管部９ａとに外嵌め状態で接続し、その接続状態において、つば付き短管１０の管部１０ｃと換気用ダクト９の先端管部９ａとが接続管１１内で当接するようになされているから、つば付き短管１０とダクト先端管部９ａとの接続部における結露水の漏れをしっかりと防ぐことができ、屋内側３への結露水の漏れを防ぐことができる。
【００２１】
また、簡単の接続構造であるので、浴室ユニット１を設置した後に点検口１２を通じてダクト工事を行うというような施工方法を採ることも可能となり、ダクト９の工事を含む浴室１の施工工事を容易にかつ能率良く行っていくことができる。
【００２２】
【発明の効果】
本発明は、以上のとおりのものであるから、浴室換気によって生じる壁体の凍害や屋内への結露水漏れを確実に防止することができ、しかも、その施工も容易に行うことができる。
【図面の簡単な説明】
【図１】実施形態を示すもので、換気ダクトの接続前の状態を示す断面側面図である。
【図２】接続後の状態を示す断面側面図である。
【符号の説明】
１…浴室
２…屋外側
３…屋内側
４…壁体
５…貫通孔
９…換気ダクト
９ａ…先端管部
１０…つば付き短管
１０ａ…つば部
１０ｂ…管部
１０ｃ…管部
１１…接続管
【図１】
0005000058.tif 000002
【図２】
0005000058.tif 000003